(57)【要約】【課題】収納棚への取付け作業が容易なテレビ取付装置、およびこれを備えた収納棚の提供。【解決手段】  回動アーム支持機構ａに、回動アームｂを左右回動自在にして取り付けるとともに、左右回転および起伏傾動自在な薄型テレビ固定用ブラケット２１を有する薄型テレビ支持機構ｃを、上記回動アームｂに、その長さ方向に移動自在に取り付けてなるテレビ取付装置Ａ。上記テレビ取付装置Ａを回動アーム支持機構ｃによって収納棚Ｂに取り付けてなる収納棚Ｂ。【選択図】  図７
2006222685.tif 000002
【特許請求の範囲】
【請求項１】
回動アーム支持機構に、回動アームを左右回動自在にして取り付けるとともに、左右回転および起伏傾動自在な薄型テレビ固定用ブラケットを有する薄型テレビ支持機構を、上記回動アームに、その長さ方向に移動自在に取り付けてなることを特徴とするテレビ取付装置。
【請求項２】
上記回動アーム支持機構が、上記回動アームを取り付ける回動アーム用軸を有する下板と、その下板の上面側にスペーサを介してネジ止めされるようにした上板とからなることを特徴とする請求項１記載のテレビ取付装置。
【請求項３】
上記回動アームが、左右両縁の下面にガイドレールを形成し、上記ガイドレールの間を上記薄型テレビ支持機構をその長さ方向に移動自在に嵌合させるスライド溝とした細長板状のもので、上記回動アーム支持機構に対し、該回動アーム支持機構の回動アーム用軸を支点に左右回動自在にして取り付けられていることを特徴とする請求項１または２記載のテレビ取付装置。
【請求項４】
上記回動アーム支持機構が、軸受部とその前側の幅細部と該幅細部の前端から左右後方へ湾曲しながら延びる円弧部とを有する平面錨形の下板と、この下板の円弧部の前縁下面に添設した平面円弧状の懸架部材からなること、および、上記回動アームが、左右両縁の下面にガイドレールを形成し、上記ガイドレールの間を上記薄型テレビ支持機構を長さ方向に移動自在に嵌合させるスライド溝とするとともに、上面に、上記回動アーム支持機構の懸架部材の外縁に係合する係合部材を備えていることを特徴とする請求項１記載のテレビ取付装置。
【請求項５】
上記薄型テレビ支持機構が、スライダと、このスライダに対して左右回転自在にして取り付けた回転部材と、この回転部材に対して起伏傾動自在にして取り付けた薄型テレビ固定用ブラケットとからなることを特徴とする請求項１，２，３または４記載のテレビ取付装置。
【請求項６】
請求項１，２，３，４または５記載のテレビ取付装置を回動アーム支持機構によって収納棚に取り付けてなることを特徴とするテレビ取付装置を備えた収納棚。
【請求項７】
上記収納棚が、箱状の下側収納部と、その下側収納部の上方に支持された同じく箱状の上側収納部とを有し、それら下側収納部と上側収納部との間をテレビ取付空間としてなること、および、上記テレビ取付装置が、その回動アーム支持機構によって収納棚の上記上側収納部の下方に取り付けられていることを特徴とする請求項６記載のテレビ取付装置を備えた収納棚。
【請求項８】
箱状の下側収納部と、その下側収納部の上方に支持された同じく箱状の上側収納部とを有し、それら下側収納部と上側収納部との間をテレビ取付空間としてなる収納棚に、請求項２，３または５記載のテレビ取付装置を、上記上側収納部の底板の通孔に上記回動アーム支持機構のスペーサを嵌合させるとともに、該底板の上下に上記回動アーム支持機構の上板と下板とを配置した状態にして取り付けてなることを特徴とするテレビ取付装置を備えた収納棚。
【発明の詳細な説明】
【技術分野】
【０００１】
本発明は、液晶テレビ，プラズマテレビ等の薄型テレビ（コンピュータ用薄型ディスプレイを含む）を床頭台その他の収納棚に取り付けるためのテレビ取付装置およびこれを備えた収納棚に関する。
【背景技術】
【０００２】
従来、床頭台等の収納棚に薄型テレビを取り付けるテレビ取付装置として、図12,13に示したようなものが知られている（特許文献１）。
このテレビ取付装置100は、概括的には、ガイドレール101,101（一方のみ図示した）と、このガイドレール101,101に沿って前後方向に摺動するＸガイド102と、このＸガイド102に沿って左右方向に摺動する摺動部材103と、この摺動部材103の下端に取り付けられたプレート104と、該プレート104の下面に回転自在にして取り付けられたブラケット105と、このブラケット105の下方沿設部106,106に回転自在にして取り付けた回転板107，107（一方のみ図示した）と、これら回転板107，107に対して取り付けたテレビ保持部材108からなる。
【０００３】
そして、上記プレート104のブラケット105に対向する面に所定角度間隔で複数の凹部104'……を形成し、また、上記回転板107,107の上記下方沿設部106,106に対向する面にも所定角度間隔で複数の凹部107'……を形成し、それら凹部104'……，107'……の位置にボール109……およびスプリング110……を組み込んでおり、これらによって、上記ブラケット105および回転板107,107（テレビ保持部材108）の回転を所定の角度間隔ごとに阻止するクリック機構を構成している。
【０００４】
上記テレビ取付装置100は、土台部111と１対の支持部材112,112と天井部113とからなりキャビネット114の上に設置された中空箱形の床頭台115に取り付けられて、上記テレビ保持部材108に固定した薄型テレビ116を前後左右に移動自在にするとともに、起伏回動および左右回転を自在にしたものである。
【特許文献１】特開平11-276530号公報
【発明の開示】
【発明が解決しようとする課題】
【０００５】
しかし、このテレビ取付装置100は上記のボール109……やスプリング110……等の微細な部品の組込みに手間がかかるもので、また、床頭台115への取付作業は、該床頭台115の上記支持部材112,112の対向位置にガイドレール101,101を固定させた上で、予め摺動部材103を挿通させておいたＸガイド102の両端を上記ガイドレール101,101に支持させるというように、組み立てながら行わざるを得ず煩雑なものである。
【０００６】
そこで本発明は、収納棚への取付け作業が容易なテレビ取付装置、およびこれを備えた収納棚を提供することを課題とする。
【課題を解決するための手段】
【０００７】
請求項１記載の本発明テレビ取付装置は、回動アーム支持機構ａに、回動アームｂを左右回動自在にして取り付けるとともに、左右回転および起伏傾動自在な薄型テレビ固定用ブラケット２１を有する薄型テレビ支持機構ｃを、上記回動アームｂに、その長さ方向に移動自在に取り付けてなるものである。
【０００８】
請求項２記載の本発明は、上記回動アーム支持機構ａが、上記回動アームｂを取り付ける回動アーム用軸９を有する下板４と、その下板４の上面側にスペーサ６……を介してネジ止めされるようにした上板７とからなる請求項１記載のテレビ取付装置である。
【０００９】
請求項３記載の本発明は、上記回動アームｂが、左右両縁の下面にガイドレール１０，１０を形成し、上記ガイドレール１０，１０の間を上記薄型テレビ支持機構ｃをその長さ方向に移動自在に嵌合させるスライド溝１１とした細長板状のもので、上記回動アーム支持機構ａに対し、該回動アーム支持機構ａの回動アーム用軸９を支点に左右回動自在にして取り付けられている請求項１または２記載のテレビ取付装置である。
【００１０】
請求項４記載の本発明テレビ取付装置は、上記回動アーム支持機構ａが、軸受部１とその前側の幅細部２と該幅細部２の前端から左右後方へ湾曲しながら延びる円弧部３とを有する平面錨形の下板４と、この下板４の円弧部３の前縁下面に添設した平面円弧状の懸架部材５からなり、また、上記回動アームｂが、左右両縁の下面にガイドレール１０，１０を形成し、上記ガイドレール１０，１０の間を上記薄型テレビ支持機構ｃを長さ方向に移動自在に嵌合させるスライド溝１１とするとともに、上面に、上記回動アーム支持機構ａの懸架部材５の外縁に係合する係合部材１５を備えている請求項１記載のテレビ取付装置である。
【００１１】
請求項５記載の本発明は、上記薄型テレビ支持機構ｃが、スライダ１８と、このスライダ１８に対して左右回転自在にして取り付けた回転部材２０と、この回転部材２０に対して起伏傾動自在にして取り付けた薄型テレビ固定用ブラケット２１とからなる請求項１，２，３または４記載のテレビ取付装置である。
【００１２】
請求項６記載の本発明テレビ取付装置を備えた収納棚は、請求項１，２，３，４または５記載のテレビ取付装置Ａを回動アーム支持機構ｃによって収納棚Ｂに取り付けてなる。
【００１３】
請求項７記載の本発明は、上記収納棚Ｂが、箱状の下側収納部４０の上方に支持された同じく箱状の上側収納部４４とを有し、それら下側収納部４０と上側収納部４４との間をテレビ取付空間４５としてなり、上記テレビ取付装置Ａがその回動アーム支持機構ａによって収納棚Ｂの上記上側収納部４４の下方に取り付けられている請求項６記載のテレビ取付装置を備えた収納棚である。
【００１４】
請求項８記載の本発明テレビ取付装置を備えた収納棚は、箱状の下側収納部４０と、その下側収納部４０の上方に支持された同じく箱状の上側収納部４４とを有し、それら下側収納部４０と上側収納部４４との間をテレビ取付空間４５としてなる収納棚Ｂに、請求項２，３または５記載のテレビ取付装置Ａを、上記上側収納部４０の底板４７の通孔に上記回動アーム支持機構ａのスペーサ６……を嵌合させるとともに、該底板４７の上下に上記回動アーム支持機構ａの上板７と下板４とを配置した状態にして取り付けてなる。
【発明の効果】
【００１５】
本発明テレビ取付装置は、従来のテレビ取付装置よりも容易に収納棚への取付けが行える。
【００１６】
本発明テレビ取付装置を備えた収納棚は、収納棚に対して上記テレビ取付装置を取り付けることにより簡単に製作することができる。
【発明を実施するための最良の形態】
【００１７】
回動アーム支持機構ａに、回動アームｂを左右回動自在にして取り付けるとともに、左右回転および起伏傾動自在な薄型テレビ固定用ブラケット２１を有する薄型テレビ支持機構ｃを、上記回動アームｂに、その長さ方向に移動自在に取り付けてなるテレビ取付装置Ａ。
【００１８】
上記テレビ取付装置Ａを回動アーム支持機構ｃによって収納棚Ｂに取り付けてなる収納棚Ｂ。
【実施例】
【００１９】
以下、本発明の一実施例について図面を参照しながら詳しく説明する。
Ａは、回動アーム支持機構ａに左右回動自在にして回動アームｂを取り付けるとともに、この回動アームｂに、その長さ方向（前後方向）に摺動自在にして薄型テレビ支持機構ｃを取り付けてなるテレビ取付装置である。
【００２０】
上記回動アーム支持機構ａは、該テレビ取付装置Ａを床頭台等の収納棚の所要の位置に取り付けてるためのもので、それは、平面ほぼ円形の軸受部１とその前側の幅細部２と該幅細部２の前端から左右後方へ湾曲しながら延びる円弧部３とを有する平面錨形の下板４の上記円弧部３の前縁下面に、平面円弧状の懸架部材５を添設しているとともに、上記円弧部３の上面側にスペーサ６……を介して該円弧部３とほぼ同形同大の上板７をネジ止めしているものである。
８，８は、上記下板４の円弧部３の左右両端を下方に垂下させてなるストッパである。
また、９は、上記軸受部１の下面に設けた回動アーム用軸である。
【００２１】
上記回動アームｂは、上記回動アーム支持機構ａの幅細部２よりも長い細長板状をなすもので、その左右両縁の下面には鉤型のガイドレール１０，１０が形成されており、それらガイドレール１０，１０の間をスライド溝１１としている。
【００２２】
この回動アームｂは、後部に開設した挿通孔を、上記回動アーム支持機構ａの回動アーム用軸９に嵌合させ、下面側より皿バネ１２を介挿してナット１３を緊締することにより、上記回動アーム支持機構ａに取り付けられており、該回動アーム支持機構ａに対して、左右の上記ストッパ８，８に当接する角度までの範囲内において、上記回動アーム用軸９を支点に左右回動自在になっている。
また、上記の通り皿バネ１２を介挿してナット１３を緊締しているので、その皿バネ１２の摩擦力により、該回動アームｂは任意の位置に静止させることができるようになっている。
【００２３】
１４は、上記回動アームｂと上記回動アーム支持機構ａとの間に介挿された樹脂製の緩衝材で、これによって、回動アームｂの回動時の摩擦音を低減するとともに両者の摩耗を防ぐようになっている。
【００２４】
１５は、上記回動アームｂの上面に取り付けられた、係合部材である。これは、その先端部１５’を、上記回動アーム支持機構ａの懸架部材５の外縁に係合させている。
【００２５】
１６は、その係合部材１５の先端部１５’の下面に取り付けられた樹脂製の緩衝材、１７は、回動アームｂの上面の上記懸架部材５に対向する位置に取り付けられた同じく樹脂製の緩衝材である。
これら緩衝材１６，１７も、上記緩衝材１４と同様に回動アームｂの回動時の摩擦音の低減を図るとともに、回動アームｂおよび懸架部材５の摩耗を防ぐものである。
【００２６】
上記薄型テレビ支持機構ｃは、概括的には、上記回動アームｂのスライド溝１１内にその長さ方向に移動自在に嵌合しているスライダ１８の下面に垂下させた吊下げ軸１９に対して、回転部材２０を左右回転自在にして取り付け、さらに、この回転部材２０に対して起伏傾動自在にして薄型テレビ固定用ブラケット２１を取り付けてなるものである。
【００２７】
上記スライダ１８は、その左右両縁のレール係合部２２，２２を上記回動アームｂのガイドレール１０，１０に上載係合させることにより、上記スライド溝１１にその長さ方向に移動自在に嵌合しているものである。
１８’は、そのスライダ１８に取り付けられた緩衝材で、これによってガイドレール１０，１０との間の摩擦を軽減し、スライドを容易にするとともに摩擦音の発生を防止している。
【００２８】
２３は、スライダ１８の抜け落ちを防止するために回動アームｂの前端に取り付けられたストッパである。
【００２９】
上記回転部材２０は、対向側面を切り欠いて平坦面２４，２４（図１，３）を形成したほぼ円筒状で、軸方向に貫通した中心孔２０’と、上記平坦面２４，２４より該中心孔２０’へ貫通したボルト孔２０”，２０”を有しているもので、上記中心孔２０’を上記吊下げ軸１９に嵌合させ、該吊下げ軸１９の下端にナット１９’を緊締することにより、左右回転を自在にして該吊下げ軸１９に取り付けられている。
【００３０】
２６は、上記吊下げ軸１９の基端のボス部２５と上記回転部材２０との間に介挿された皿バネで、この摩擦力によって、回転部材２０は任意の位置に静止させることができるようになっている。
【００３１】
上記薄型テレビ固定用ブラケット２１は、薄型テレビを取り付けるための複数のネジ孔２７……を所要の配置にして開設した縦長のテレビ取付板２８の一側縁部の後面側に回転部材取付片２９を連設した、断面Ｌ形の左右対称形状の一対のブラケット片３０，３０と、それらブラケット片３０，３０の間に固定された磁石吸着部材３１とからなる金属製のものである。
【００３２】
この薄型テレビ固定用ブラケット２１は、上記回転部材取付片２９，２９において、上記ボルト孔２０”，２０”に側方から螺合したボルト３２，３２によって、無段階に起伏傾動できるようにして、すなわち、テレビ取付板２８，２８を垂直にした吊下起立状態（図１〜４）からそのテレビ取付板２８，２８を水平にした折り畳み状態（図５）まで無段階に傾動できるようにして上記回転部材２０に取り付けられている。
【００３３】
３３，３３は、上記回転部材取付片２９，２９と回転部材２０の平坦面２４，２４との間に介挿された皿バネで、この摩擦力によって、薄型テレビ固定用ブラケット２１は任意の位置に静止させることができるようになっている。
【００３４】
３４は、上記回転部材２０の上端部に取り付けた磁石ブラケットである。それは、前端側に形成した回転防止片３５，３５を上記回転部材２０の平坦面２４，２４に嵌合させた状態で取り付けられており、常に上記回転部材２０とともに（したがってまた薄型テレビ固定用ブラケット２１とともに）、吊下げ軸１９に対して左右回転するようになっている。
【００３５】
３６は、磁石ブラケット３４の下面に配設された磁石で、それは、上記薄型テレビ固定用ブラケット２１を折り畳み状態にしたときにその磁石吸着部材３１が当接し、これを磁力によって吸着固定するようになっている（図５）。
【００３６】
Ｂは、複数の引出し等を備えた箱状の下側収納部４０の上方に、該下側収納部４０の上面の左右縁および後縁に立設された支持板部４１〜４３に支持させた同じく箱状の上側収納部４４を備え、それら下側収納部４０と上側収納部４４との間を、前面と左右側面の前半部とを開放したテレビ取付空間４５としている床頭台である。
４６……は、上記下側収納部４０の下面に取り付けたキャスターである。
【００３７】
上記テレビ取付装置Ａは、上記上側収納部４４の底板４７の所要位置に開設した通孔（図示していない）に上記回動アーム支持機構ａのスペーサ６……を嵌合させるとともに、該底板４７の上下に上記回動アーム支持機構ａの上板７と下板４とを位置させて、この床頭台Ｂの上側収納部４４の下方に取り付けられている。
【００３８】
したがって、テレビ取付装置Ａは、回動アーム支持機構ａの上板７以外の部分を予め一体に組み立てておき、床頭台Ｂへの取付けに際しては、その一体に組み立てたものを、上記底板４７上に配置した上板７に対してネジ止めするだけでよいから、従来のテレビ取付装置100が、床頭台115の上記支持部材112,112の対向位置にガイドレール101,101を固定させた上で、予め摺動部材103を挿通させておいたＸガイド102の両端を上記ガイドレール101,101に支持させるというような組み立てながらの取付け作業を行わざるを得なかったのに比べ、格段に容易に取付けが行えるものである。
【００３９】
薄型テレビＣは、上記テレビ取付装置Ａの薄型テレビ固定用ブラケット２１に対してネジ止めされており、上記薄型テレビ支持機構ｃを回動アームｂに対してその長さ方向（前後方向）に摺動させることにより前後に移動させて位置の調整ができる（図７）。
【００４０】
上記回動アームｂを回動アーム支持機構ａに対して左右回動させれば、薄型テレビＣを左右に円弧状に移動させ、その位置を変更することができる（図８〜10）。
この左右への移動は、図８，９に示すように、上記床頭台Ｂの左右外方の位置まで行えるようになっており、従来のテレビ取付装置100が、上記支持部材112,112の範囲内において薄型テレビを左右移動できるようにしているだけであったのに比べ、移動範囲が大きくなっている。
【００４１】
なお、回動アームｂは、上記のとおり係合部材１５を有しており、これを回動アーム支持機構ａの懸架部材５に係合させているから、重量のある薄型テレビＣを吊り下げた場合でもたわまないようになっているとともに、上記回動アーム用軸９に過度の負荷がかかることがないようになっている。
【００４２】
上記回転部材２０をスライダ１８の吊下げ軸１９に対して回転させれば、薄型テレビＣの向きを左右方向に調整することができる。
【００４３】
また、薄型テレビ固定用ブラケット２１を回転部材２０に対して起伏傾動させることにより、その画面の起伏方向の向きを調整することができる。
該薄型テレビＣを後方に一杯に傾動させて折り畳み水平状態とすると、上記磁石３６が磁石吸着部材３１を吸着固定するので、該薄型テレビ固定用ブラケット２１が不用意に下方に傾動して該薄型テレビＣが不用意に落下することがない（図11）。
【００４４】
このように上記薄型テレビＣは、床頭台Ｂのテレビ取付空間４５内に、前後移動、円弧状の左右移動、左右回転、および起伏傾動を自在にして吊り下げられた状態になっており、その画面が見易い位置および向きになるよう自在に調整できる。
【００４５】
上記では、テレビ取付装置Ａの回動アーム支持機構ａを、上板７と下板４とを有するものとして説明したが、上記上板７を省略することもできる。この場合、テレビ取付装置Ａは、下板４を床頭台Ｂの上側収納部４４の底板４７の下面に直接ネジ止め等することにより、該床頭台Ｂに取り付けることができる。
【００４６】
上記薄型テレビ固定用ブラケット２１は、スライダ１８に対してボールジョイント等により左右回転や起伏傾動等を自在にして取り付けるようにしてもよい。このようにすれば、より簡単な構造となるので、製作コストをより低減できる。
【００４７】
また、テレビ取付装置Ａは、上記の床頭台Ｂに限らず、食器棚や本棚など他の各種収納棚に取り付けて使用することもできる。
【図面の簡単な説明】
【００４８】
【図１】本発明の一実施例に係るテレビ取付装置を示した側面図である。
【図２】その平面図である。
【図３】その底面図である。
【図４】図１のI-I線縦断面図である。
【図５】上記テレビ取付装置のテレビ取付ブラケットを折り畳んだ状態を示した側面図である。
【図６】上記テレビ取付装置を取り付けた床頭台の、薄型テレビを正面に向けた状態を示した正面図である。
【図７】その側面図である。
【図８】その平面図である。
【図９】その薄型テレビを側方に向けた状態を示した正面図である。
【図１０】その側面図である。
【図１１】その薄型テレビを折り畳んだ状態を示した側面図である。
【図１２】従来のテレビ取付装置を示した分解斜視図である。
【図１３】上記テレビ取付装置を取り付けた床頭台の斜視図である。
【符号の説明】
【００４９】
Ａ    テレビ取付装置
Ｂ    床頭台（収納棚）
Ｃ    薄型テレビ
ａ    回動アーム支持機構
ｂ    回動アーム
ｃ    薄型テレビ支持機構
１    軸受部
２    連結部
３    円弧部
４    下板
５    懸架部材
６    スペーサ
７    上板
９    回動アーム用軸
10    ガイドレール
11    スライド溝
15    係合部材
18    スライダ
20    回転部材
21    薄型テレビ固定用ブラケット
40    下側収納部
41〜43    支持板部
44    上側収納部
45    テレビ取付空間
【図１】
2006222685.tif 000003
【図２】
2006222685.tif 000004
【図３】
2006222685.tif 000005
【図４】
2006222685.tif 000006
【図５】
2006222685.tif 000007
【図６】
2006222685.tif 000008
【図７】
2006222685.tif 000009
【図８】
2006222685.tif 000010
【図９】
2006222685.tif 000011
【図１０】
2006222685.tif 000012
【図１１】
2006222685.tif 000013
【図１２】
2006222685.tif 000014
【図１３】
2006222685.tif 000015
【手続補正書】
【提出日】平成18年1月12日(2006.1.12)
【手続補正１】
【補正対象書類名】特許請求の範囲
【補正対象項目名】全文
【補正方法】変更
【補正の内容】
【特許請求の範囲】
【請求項１】
左右両縁の下面にガイドレール（１０，１０）を形成し、そのガイドレール（１０，１０）の間をスライド溝（１１）とした細長板状の回動アーム（ｂ）を、回動アーム支持機構（ａ）に、回動アーム用軸（９）を支点に左右回動自在にして取り付けるとともに、左右回転および起伏傾動自在な薄型テレビ固定用ブラケット（２１）を有する薄型テレビ支持機構（ｃ）を、回動アーム（ｂ）の上記スライド溝（１１）に、その回動アーム（ｂ）の長さ方向に移動自在に取り付けてなることを特徴とするテレビ取付装置。
【請求項２】
左右両縁の下面にガイドレール（１０，１０）を形成し、そのガイドレール（１０，１０）の間をスライド溝（１１）とした細長板状の回動アーム（ｂ）を、下板（４）とその下板（４）の上面側にスペーサ（６……）を介してネジ止めされるようにした上板（７）とからなる回動アーム支持機構（ａ）の上記下板（４）に、回動アーム用軸（９）を支点に左右回動自在にして取り付けるとともに、左右回転および起伏傾動自在な薄型テレビ固定用ブラケット（２１）を有する薄型テレビ支持機構（ｃ）を、回動アーム（ｂ）の上記スライド溝（１１）に、その回動アーム（ｂ）の長さ方向に移動自在に取り付けてなることを特徴とするテレビ取付装置。
【請求項３】
<i> 軸受部（１）とその前側の幅細部（２）と該幅細部（２）の前端から左右後方へ湾曲しながら延びる円弧部（３）とを有する平面錨形の下板（４）と、この下板（４）の円弧部（３）の前縁下面に添設した平面円弧状の懸架部材（５）からなる回動アーム支持機構（ａ）と、
<ii> 左右両縁の下面にガイドレール（１０，１０）を形成し、そのガイドレール（１０，１０）の間をスライド溝（１１）とするとともに、上面に、上記回動アーム支持機構（ａ）の懸架部材（５）の外縁に係合する係合部材（１５）を備え、かつ、上記回動アーム支持機構（ａ）に左右回動自在にして取り付けられた回動アーム（ｂ）と、
<iii> 左右回転および起伏傾動自在な薄型テレビ固定用ブラケット（２１）を有し、かつ、上記回動アーム（ｂ）の上記スライド溝（１１）に、その回動アーム（ｂ）の長さ方向に移動自在に取り付けられた薄型テレビ支持機構（ｃ）とからなることを特徴とするテレビ取付装置。
【請求項４】
上記薄型テレビ支持機構（ｃ）が、スライダ（１８）と、このスライダ（１８）に対して左右回転自在にして取り付けた回転部材（２０）と、この回転部材（２０）に対して起伏傾動自在にして取り付けた薄型テレビ固定用ブラケット（２１）とからなることを特徴とする請求項１，２または３記載のテレビ取付装置。
【請求項５】
請求項１，２，３または４記載のテレビ取付装置（Ａ）を上記回動アーム支持機構（ａ）によって収納棚（Ｂ）に取り付けてなることを特徴とするテレビ取付装置を備えた収納棚。
【請求項６】
上記収納棚（Ｂ）が、箱状の下側収納部（４０）とその上方に支持された同じく箱状の上側収納部（４４）とを有し、それら下側収納部（４０）と上側収納部（４４）との間をテレビ取付空間（４５）としてなり、上記テレビ取付装置（Ａ）がその回動アーム支持機構（ａ）によって収納棚（Ｂ）の上記上側収納部（４４）の下方に取り付けられていることを特徴とする請求項５記載のテレビ取付装置を備えた収納棚。
【請求項７】
箱状の下側収納部（４０）とその下側収納部（４０）の上方に支持された同じく箱状の上側収納部（４４）とを有し、それら下側収納部（４０）と上側収納部（４４）との間をテレビ取付空間（４５）としてなる収納棚（Ｂ）に、請求項２記載のテレビ取付装置（Ａ）を、上記上側収納部（４０）の底板（４７）の通孔に上記回動アーム支持機構（ａ）のスペーサ（６……）を嵌合させるとともに、該底板（４７）の上下に上記回動アーム支持機構（ａ）の上板（７）と下板（４）とを配置した状態にして取り付けてなることを特徴とするテレビ取付装置を備えた収納棚。
【手続補正２】
【補正対象書類名】明細書
【補正対象項目名】全文
【補正方法】変更
【補正の内容】
【発明の詳細な説明】
【技術分野】
【０００１】
本発明は、液晶テレビ，プラズマテレビ等の薄型テレビ（コンピュータ用薄型ディスプレイを含む）を床頭台その他の収納棚に取り付けるためのテレビ取付装置およびこれを備えた収納棚に関する。
【背景技術】
【０００２】
従来、床頭台等の収納棚に薄型テレビを取り付けるテレビ取付装置として、図12,13に示したようなものが知られている（特許文献１）。
このテレビ取付装置100は、概括的には、ガイドレール101,101（一方のみ図示した）と、このガイドレール101,101に沿って前後方向に摺動するＸガイド102と、このＸガイド102に沿って左右方向に摺動する摺動部材103と、この摺動部材103の下端に取り付けられたプレート104と、該プレート104の下面に回転自在にして取り付けられたブラケット105と、このブラケット105の下方沿設部106,106に回転自在にして取り付けた回転板107，107（一方のみ図示した）と、これら回転板107，107に対して取り付けたテレビ保持部材108からなる。
【０００３】
そして、上記プレート104のブラケット105に対向する面に所定角度間隔で複数の凹部104'……を形成し、また、上記回転板107,107の上記下方沿設部106,106に対向する面にも所定角度間隔で複数の凹部107'……を形成し、それら凹部104'……，107'……の位置にボール109……およびスプリング110……を組み込んでおり、これらによって、上記ブラケット105および回転板107,107（テレビ保持部材108）の回転を所定の角度間隔ごとに阻止するクリック機構を構成している。
【０００４】
上記テレビ取付装置100は、土台部111と１対の支持部材112,112と天井部113とからなりキャビネット114の上に設置された中空箱形の床頭台115に取り付けられて、上記テレビ保持部材108に固定した薄型テレビ116を前後左右に移動自在にするとともに、起伏回動および左右回転を自在にしたものである。
【特許文献１】特開平11-276530号公報
【発明の開示】
【発明が解決しようとする課題】
【０００５】
しかし、このテレビ取付装置100は上記のボール109……やスプリング110……等の微細な部品の組込みに手間がかかるもので、また、床頭台115への取付作業は、該床頭台115の上記支持部材112,112の対向位置にガイドレール101,101を固定させた上で、予め摺動部材103を挿通させておいたＸガイド102の両端を上記ガイドレール101,101に支持させるとい
うように、組み立てながら行わざるを得ず煩雑なものである。
【０００６】
そこで本発明は、収納棚への取付け作業が容易なテレビ取付装置、およびこれを備えた収納棚を提供することを課題とする。
【課題を解決するための手段】
【０００７】
請求項１記載の本発明テレビ取付装置は、  左右両縁の下面にガイドレール１０，１０を形成し、そのガイドレール１０，１０の間をスライド溝１１とした細長板状の回動アームｂを、回動アーム支持機構ａに、回動アーム用軸９を支点に左右回動自在にして取り付けるとともに、左右回転および起伏傾動自在な薄型テレビ固定用ブラケット２１を有する薄型テレビ支持機構ｃを、回動アームｂの上記スライド溝１１に、その回動アームｂの長さ方向に移動自在に取り付けてなるものである。
【０００８】
請求項２記載の本発明テレビ取付装置は、左右両縁の下面にガイドレール１０，１０を形成し、そのガイドレール１０，１０の間をスライド溝１１とした細長板状の回動アームｂを、下板４とその下板４の上面側にスペーサ６……を介してネジ止めされるようにした上板７とからなる回動アーム支持機構ａの上記下板４に、回動アーム用軸９を支点に左右回動自在にして取り付けるとともに、左右回転および起伏傾動自在な薄型テレビ固定用ブラケット２１を有する薄型テレビ支持機構ｃを、回動アームｂの上記スライド溝１１に、その回動アームｂの長さ方向に移動自在に取り付けてなるものである。
【０００９】
請求項３記載の本発明テレビ取付装置は、<i> 軸受部１とその前側の幅細部２と該幅細部２の前端から左右後方へ湾曲しながら延びる円弧部３とを有する平面錨形の下板４と、この下板４の円弧部３の前縁下面に添設した平面円弧状の懸架部材５からなる回動アーム支持機構ａと、<ii> 左右両縁の下面にガイドレール１０，１０を形成し、そのガイドレール１０，１０の間をスライド溝１１とするとともに、上面に、上記回動アーム支持機構ａの懸架部材５の外縁に係合する係合部材１５を備え、かつ、上記回動アーム支持機構ａに左右回動自在にして取り付けられた回動アームｂと、<iii> 左右回転および起伏傾動自在な薄型テレビ固定用ブラケット２１を有し、かつ、上記回動アームｂの上記スライド溝１１に、その回動アーム６の長さ方向に移動自在に取り付けられた薄型テレビ支持機構ｃとからなるものである。
【００１０】
請求項４記載の本発明は、上記薄型テレビ支持機構ｃが、スライダ１８と、このスライダ１８に対して左右回転自在にして取り付けた回転部材２０と、この回転部材２０に対して起伏傾動自在にして取り付けた薄型テレビ固定用ブラケット２１とからなる請求項１，２または３記載のテレビ取付装置である。
【００１１】
請求項５記載の本発明テレビ取付装置を備えた収納棚は、請求項１，２，３または４記載のテレビ取付装置Ａを上記回動アーム支持機構ａによって収納棚Ｂに取り付けてなる。
【００１２】
請求項６記載の本発明は、上記収納棚Ｂが、箱状の下側収納部４０とその上方に支持された同じく箱状の上側収納部４４とを有し、それら下側収納部４０と上側収納部４４との間をテレビ取付空間４５としてなり、上記テレビ取付装置Ａがその回動アーム支持機構ａによって収納棚Ｂの上記上側収納部４４の下方に取り付けられている請求項５記載のテレビ取付装置を備えた収納棚である。
【００１３】
請求項７記載の本発明テレビ取付装置を備えた収納棚は、箱状の下側収納部４０と、その下側収納部４０の上方に支持された同じく箱状の上側収納部４４とを有し、それら下側収納部４０と上側収納部４４との間をテレビ取付空間４５としてなる収納棚Ｂに、請求項２記載のテレビ取付装置Ａを、上記上側収納部４０の底板４７の通孔に上記回動アーム支持機構ａのスペーサ６……を嵌合させるとともに、該底板４７の上下に上記回動アーム支持機構ａの上板７と下板４とを配置した状態にして取り付けてなる。
【発明の効果】
【００１４】
本発明テレビ取付装置は、従来のテレビ取付装置よりも容易に収納棚への取付けが行える。
【００１５】
本発明テレビ取付装置を備えた収納棚は、収納棚に対して上記テレビ取付装置を取り付けることにより簡単に製作することができる。
【発明を実施するための最良の形態】
【００１６】
左右両縁の下面にガイドレール１０，１０を形成し、そのガイドレール１０，１０の間をスライド溝１１とした細長板状の回動アームｂを、回動アーム支持機構ａに、回動アーム用軸９を支点に左右回動自在にして取り付けるとともに、左右回転および起伏傾動自在な薄型テレビ固定用ブラケット２１を有する薄型テレビ支持機構ｃを、回動アームｂの上記スライド溝１１に、その回動アームｂの長さ方向に移動自在に取り付けてなるテレビ取付装置。
【実施例】
【００１７】
以下、本発明の一実施例について図面を参照しながら詳しく説明する。
Ａは、回動アーム支持機構ａに左右回動自在にして回動アームｂを取り付けるとともに、この回動アームｂに、その長さ方向（前後方向）に摺動自在にして薄型テレビ支持機構ｃを取り付けてなるテレビ取付装置である。
【００１８】
上記回動アーム支持機構ａは、該テレビ取付装置Ａを床頭台等の収納棚の所要の位置に取り付けてるためのもので、それは、平面ほぼ円形の軸受部１とその前側の幅細部２と該幅細部２の前端から左右後方へ湾曲しながら延びる円弧部３とを有する平面錨形の下板４の上記円弧部３の前縁下面に、平面円弧状の懸架部材５を添設しているとともに、上記円弧部３の上面側にスペーサ６……を介して該円弧部３とほぼ同形同大の上板７をネジ止めしているものである。
８，８は、上記下板４の円弧部３の左右両端を下方に垂下させてなるストッパである。
また、９は、上記軸受部１の下面に設けた回動アーム用軸である。
【００１９】
上記回動アームｂは、上記回動アーム支持機構ａの幅細部２よりも長い細長板状をなすもので、その左右両縁の下面には鉤型のガイドレール１０，１０が形成されており、それらガイドレール１０，１０の間をスライド溝１１としている。
【００２０】
この回動アームｂは、後部に開設した挿通孔を、上記回動アーム支持機構ａの回動アーム用軸９に嵌合させ、下面側より皿バネ１２を介挿してナット１３を緊締することにより、上記回動アーム支持機構ａに取り付けられており、該回動アーム支持機構ａに対して、左右の上記ストッパ８，８に当接する角度までの範囲内において、上記回動アーム用軸９を支点に左右回動自在になっている。
また、上記の通り皿バネ１２を介挿してナット１３を緊締しているので、その皿バネ１２の摩擦力により、該回動アームｂは任意の位置に静止させることができるようになっている。
【００２１】
１４は、上記回動アームｂと上記回動アーム支持機構ａとの間に介挿された樹脂製の緩衝材で、これによって、回動アームｂの回動時の摩擦音を低減するとともに両者の摩耗を防ぐようになっている。
【００２２】
１５は、上記回動アームｂの上面に取り付けられた、係合部材である。これは、その先端部１５’を、上記回動アーム支持機構ａの懸架部材５の外縁に係合させている。
【００２３】
１６は、その係合部材１５の先端部１５’の下面に取り付けられた樹脂製の緩衝材、１７は、回動アームｂの上面の上記懸架部材５に対向する位置に取り付けられた同じく樹脂製の緩衝材である。
これら緩衝材１６，１７も、上記緩衝材１４と同様に回動アームｂの回動時の摩擦音の低減を図るとともに、回動アームｂおよび懸架部材５の摩耗を防ぐものである。
【００２４】
上記薄型テレビ支持機構ｃは、概括的には、上記回動アームｂのスライド溝１１内にその長さ方向に移動自在に嵌合しているスライダ１８の下面に垂下させた吊下げ軸１９に対して、回転部材２０を左右回転自在にして取り付け、さらに、この回転部材２０に対して起伏傾動自在にして薄型テレビ固定用ブラケット２１を取り付けてなるものである。
【００２５】
上記スライダ１８は、その左右両縁のレール係合部２２，２２を上記回動アームｂのガイドレール１０，１０に上載係合させることにより、上記スライド溝１１にその長さ方向に移動自在に嵌合しているものである。
１８’は、そのスライダ１８に取り付けられた緩衝材で、これによってガイドレール１０，１０との間の摩擦を軽減し、スライドを容易にするとともに摩擦音の発生を防止している。
【００２６】
２３は、スライダ１８の抜け落ちを防止するために回動アームｂの前端に取り付けられたストッパである。
【００２７】
上記回転部材２０は、対向側面を切り欠いて平坦面２４，２４（図１，３）を形成したほぼ円筒状で、軸方向に貫通した中心孔２０’と、上記平坦面２４，２４より該中心孔２０’へ貫通したボルト孔２０”，２０”を有しているもので、上記中心孔２０’を上記吊下げ軸１９に嵌合させ、該吊下げ軸１９の下端にナット１９’を緊締することにより、左右回転を自在にして該吊下げ軸１９に取り付けられている。
【００２８】
２６は、上記吊下げ軸１９の基端のボス部２５と上記回転部材２０との間に介挿された皿バネで、この摩擦力によって、回転部材２０は任意の位置に静止させることができるようになっている。
【００２９】
上記薄型テレビ固定用ブラケット２１は、薄型テレビを取り付けるための複数のネジ孔２７……を所要の配置にして開設した縦長のテレビ取付板２８の一側縁部の後面側に回転部材取付片２９を連設した、断面Ｌ形の左右対称形状の一対のブラケット片３０，３０と、それらブラケット片３０，３０の間に固定された磁石吸着部材３１とからなる金属製のものである。
【００３０】
この薄型テレビ固定用ブラケット２１は、上記回転部材取付片２９，２９において、上記ボルト孔２０”，２０”に側方から螺合したボルト３２，３２によって、無段階に起伏傾動できるようにして、すなわち、テレビ取付板２８，２８を垂直にした吊下起立状態（図１〜４）からそのテレビ取付板２８，２８を水平にした折り畳み状態（図５）まで無段階に傾動できるようにして上記回転部材２０に取り付けられている。
【００３１】
３３，３３は、上記回転部材取付片２９，２９と回転部材２０の平坦面２４，２４との間に介挿された皿バネで、この摩擦力によって、薄型テレビ固定用ブラケット２１は任意の位置に静止させることができるようになっている。
【００３２】
３４は、上記回転部材２０の上端部に取り付けた磁石ブラケットである。それは、前端側に形成した回転防止片３５，３５を上記回転部材２０の平坦面２４，２４に嵌合させた状態で取り付けられており、常に上記回転部材２０とともに（したがってまた薄型テレビ固定用ブラケット２１とともに）、吊下げ軸１９に対して左右回転するようになっている。
【００３３】
３６は、磁石ブラケット３４の下面に配設された磁石で、それは、上記薄型テレビ固定用ブラケット２１を折り畳み状態にしたときにその磁石吸着部材３１が当接し、これを磁力によって吸着固定するようになっている（図５）。
【００３４】
Ｂは、複数の引出し等を備えた箱状の下側収納部４０の上方に、該下側収納部４０の上面の左右縁および後縁に立設された支持板部４１〜４３に支持させた同じく箱状の上側収納部４４を備え、それら下側収納部４０と上側収納部４４との間を、前面と左右側面の前半部とを開放したテレビ取付空間４５としている床頭台である。
４６……は、上記下側収納部４０の下面に取り付けたキャスターである。
【００３５】
上記テレビ取付装置Ａは、上記上側収納部４４の底板４７の所要位置に開設した通孔（図示していない）に上記回動アーム支持機構ａのスペーサ６……を嵌合させるとともに、該底板４７の上下に上記回動アーム支持機構ａの上板７と下板４とを位置させて、この床頭台Ｂの上側収納部４４の下方に取り付けられている。
【００３６】
したがって、テレビ取付装置Ａは、回動アーム支持機構ａの上板７以外の部分を予め一体に組み立てておき、床頭台Ｂへの取付けに際しては、その一体に組み立てたものを、上記底板４７上に配置した上板７に対してネジ止めするだけでよいから、従来のテレビ取付装置100が、床頭台115の上記支持部材112,112の対向位置にガイドレール101,101を固定させた上で、予め摺動部材103を挿通させておいたＸガイド102の両端を上記ガイドレール101,101に支持させるというような組み立てながらの取付け作業を行わざるを得なかったのに比べ、格段に容易に取付けが行えるものである。
【００３７】
薄型テレビＣは、上記テレビ取付装置Ａの薄型テレビ固定用ブラケット２１に対してネジ止めされており、上記薄型テレビ支持機構ｃを回動アームｂに対してその長さ方向（前後方向）に摺動させることにより前後に移動させて位置の調整ができる（図７）。
【００３８】
上記回動アームｂを回動アーム支持機構ａに対して左右回動させれば、薄型テレビＣを左右に円弧状に移動させ、その位置を変更することができる（図８〜10）。
この左右への移動は、図８，９に示すように、上記床頭台Ｂの左右外方の位置まで行えるようになっており、従来のテレビ取付装置100が、上記支持部材112,112の範囲内において薄型テレビを左右移動できるようにしているだけであったのに比べ、移動範囲が大きくなっている。
【００３９】
なお、回動アームｂは、上記のとおり係合部材１５を有しており、これを回動アーム支持機構ａの懸架部材５に係合させているから、重量のある薄型テレビＣを吊り下げた場合でもたわまないようになっているとともに、上記回動アーム用軸９に過度の負荷がかかることがないようになっている。
【００４０】
上記回転部材２０をスライダ１８の吊下げ軸１９に対して回転させれば、薄型テレビＣの向きを左右方向に調整することができる。
【００４１】
また、薄型テレビ固定用ブラケット２１を回転部材２０に対して起伏傾動させることにより、その画面の起伏方向の向きを調整することができる。
該薄型テレビＣを後方に一杯に傾動させて折り畳み水平状態とすると、上記磁石３６が磁石吸着部材３１を吸着固定するので、該薄型テレビ固定用ブラケット２１が不用意に下方に傾動して該薄型テレビＣが不用意に落下することがない（図11）。
【００４２】
このように上記薄型テレビＣは、床頭台Ｂのテレビ取付空間４５内に、前後移動、円弧状の左右移動、左右回転、および起伏傾動を自在にして吊り下げられた状態になっており、その画面が見易い位置および向きになるよう自在に調整できる。
【００４３】
上記では、テレビ取付装置Ａの回動アーム支持機構ａを、上板７と下板４とを有するものとして説明したが、上記上板７を省略することもできる。この場合、テレビ取付装置Ａは、下板４を床頭台Ｂの上側収納部４４の底板４７の下面に直接ネジ止め等することにより、該床頭台Ｂに取り付けることができる。
【００４４】
上記薄型テレビ固定用ブラケット２１は、スライダ１８に対してボールジョイント等により左右回転や起伏傾動等を自在にして取り付けるようにしてもよい。このようにすれば、より簡単な構造となるので、製作コストをより低減できる。
【００４５】
また、テレビ取付装置Ａは、上記の床頭台Ｂに限らず、食器棚や本棚など他の各種収納棚に取り付けて使用することもできる。
【図面の簡単な説明】
【００４６】
【図１】本発明の一実施例に係るテレビ取付装置を示した側面図である。
【図２】その平面図である。
【図３】その底面図である。
【図４】図１のI-I線縦断面図である。
【図５】上記テレビ取付装置のテレビ取付ブラケットを折り畳んだ状態を示した側面図である。
【図６】上記テレビ取付装置を取り付けた床頭台の、薄型テレビを正面に向けた状態を示した正面図である。
【図７】その側面図である。
【図８】その平面図である。
【図９】その薄型テレビを側方に向けた状態を示した正面図である。
【図１０】その側面図である。
【図１１】その薄型テレビを折り畳んだ状態を示した側面図である。
【図１２】従来のテレビ取付装置を示した分解斜視図である。
【図１３】上記テレビ取付装置を取り付けた床頭台の斜視図である。
【符号の説明】
【００４７】
Ａ    テレビ取付装置
Ｂ    床頭台（収納棚）
Ｃ    薄型テレビ
ａ    回動アーム支持機構
ｂ    回動アーム
ｃ    薄型テレビ支持機構
１    軸受部
２    連結部
３    円弧部
４    下板
５    懸架部材
６    スペーサ
７    上板
９    回動アーム用軸
10    ガイドレール
11    スライド溝
15    係合部材
18    スライダ
20    回転部材
21    薄型テレビ固定用ブラケット
40    下側収納部
41〜43    支持板部
44    上側収納部
45    テレビ取付空間